(57)【要約】【課題】紫外線の照射を有効に行える一方、紫外線の外部への漏洩を防止できる空気清浄器を提供することを目的とする。【解決手段】プレフィルター４と集塵／脱臭フィルター５の後方に、紫外線ランプ９を内蔵した紫外線ユニット８を設け、前記紫外線ランプ９の上下に、薄肉のアルミ箔からなり、上下面が開放された六角形状のセルを多数並べたハニカム状の紫外線透過部材１０ａ及び１０ｂを夫々設け、前記紫外線ランプ９から放射状に照射された紫外線を前記紫外線透過部材１０ａ及び１０ｂにより上下成分に変換して前記紫外線ユニット８内に流入してきた空気に対し照射する。【選択図】  図１
2004316990.tif 000002
【特許請求の範囲】
【請求項１】
本体に設けた吸込口と吹出口とを結ぶ空気通路に、フィルターと紫外線ユニットを設けるとともに、清浄化された空気を前記吹出口から送出する送風機を設けてなる空気清浄器において、
前記紫外線ユニットが、前面に流入口を、背面に流出口を形成したケースと、同ケース内の中央部に水平に設けられた紫外線ランプと、同紫外線ランプの上下に設けられ、上下面が開放されたセルを多数連設した紫外線透過部材からなり、前記紫外線ランプから照射された紫外線を前記紫外線透過部材により前記ケース内で上下方向に照射してなることを特徴とする空気清浄器。
【請求項２】
前記セルが上下面が開放された六角形の角柱からなり、前記紫外線透過部材がハニカム状に形成されてなることを特徴とする請求項１に記載の空気清浄器。
【請求項３】
前記紫外線透過部材が、反射率の高い薄肉のアルミ箔から形成されてなることを特徴とする請求項１又は請求項２に記載の空気清浄器。
【請求項４】
前記ケースの前後内壁に前記紫外線ランプに対向して、円弧状に窪んだ反射面を相対向して上下に形成した山形状の反射板を設け、同反射板により前記紫外線ランプから照射された紫外線の水平成分及び斜光成分を前記紫外線透過部材に反射させてなることを特徴とする請求項１に記載の空気清浄器。
【請求項５】
前記吸込口を上部吸込口と下部吸込口とに区画して設ける一方、紫外線ユニットの下方に前記紫外線ランプとその上方に前記紫外線透過部材とを設け、前記上部吸込口から吸込まれた空気に、前記紫外線透過部材を介した紫外線を照射する一方、前記下部吸込口から吸込まれた空気は、前記紫外線ランプに導びき、その周囲を通過させてなるようにしたことを特徴とする請求項１に記載の空気清浄器。
【発明の詳細な説明】
【０００１】
【発明の属する技術分野】
本発明は、殺菌用の紫外線ランプを内蔵した空気清浄器に関わり、より詳細には紫外線の外部への漏洩を防止する一方、殺菌効率を高めた構成に関する。
【０００２】
【従来の技術】
紫外線ランプを内蔵した従来の空気清浄器は、例えば図７で示すように、空気清浄器本体内に、一側が開放された金属性の箱体６２ａと、開放された一側を覆う上蓋６２ｂとからなるユニットケース６２を設け、その中心部に紫外線ランプ６１を配設している。同ユニットケース６２の前面には、内側に折曲された複数の切起こし片６２ｅが形成され、又同切起こし片６２ｅにより切欠かれた箇所には空気が流入する複数のスリット６２ｆが形成されるようになっている。後面にも同様に内側に折曲された複数の切起こし片６２ｅが形成され、又同切起こし片６２ｅにより切欠かれた箇所には空気が流出する複数のスリット６２ｆが形成されている。（特許文献１参照）
【０００３】
前記ユニットケース６２の前面側スリット６２ｆから吸込まれた空気は、矢印で示すように、前記切起こし片６２ｅにより進路を変更されながら、前記紫外線ランプから照射される紫外線を受け、後面側のスリット６２ｆから流出するようになっている。又、空気中に含有される細菌あるいは雑菌は紫外線の照射を受け、その殺菌作用により死滅あるいは消滅するようになっている。前記紫外線ランプ６１から放射状に拡がる紫外線は、前記切起こし片６２ｅにより遮蔽され前記ユニットケース６２外への漏洩が防止されるようになっており、紫外線の漏洩による樹脂材の劣化あるいは人体への影響等を防ぐようになっている。
【０００４】
しかしながら、切起こし片等による遮蔽体は空気の流路抵抗となり、騒音を発生させる原因となる虞があり、また前記ユニットケース６１内に乱流、滞留が生じて、その内壁に雑菌等が付着する懸念があった。
【０００５】
【特許文献１】
特開平１１−６３５９２号
【０００６】
【発明が解決しようとする課題】
本発明は上記問題点に鑑み、流入してくる空気に対し流路抵抗を生じることなく紫外線の照射を行えるとともに、紫外線の外部への漏洩を極力防止できる紫外線ユニットを備えた空気清浄器を提供することを目的とする。
【０００７】
【課題を解決するための手段】
本発明は上記課題を解決するため、本体に設けた吸込口と吹出口とを結ぶ空気通路に、フィルターと紫外線ユニットを設けるとともに、清浄化された空気を前記吹出口から送出する送風機を設けてなる空気清浄器において、
前記紫外線ユニットが、前面に流入口を、背面に流出口を形成したケースと、同ケース内の中央部に水平に設けられた紫外線ランプと、同紫外線ランプの上下に設けられ、上下面が開放されたセルを多数連設した紫外線透過部材からなり、前記紫外線ランプから照射された紫外線を前記紫外線透過部材により前記ケース内で上下方向に照射してなる構成となっている。
【０００８】
また、前記セルが上下面が開放された六角形の角柱からなり、前記紫外線透過部材がハニカム状に形成されてなる構成となっている。
【０００９】
また、前記紫外線透過部材が、反射率の高い薄肉のアルミ箔から形成されてなる構成となっている。
【００１０】
また、前記ケースの前後内壁に前記紫外線ランプに対向して、円弧状に窪んだ反射面を相対向して上下に形成した山形状の反射板を設け、同反射板により前記紫外線ランプから照射された紫外線の水平成分及び斜光成分を前記紫外線透過部材に反射させてなる構成となっている。
【００１１】
更に、前記吸込口を上部吸込口と下部吸込口とに区画して設ける一方、紫外線ユニットの下方に前記紫外線ランプとその上方に前記紫外線透過部材とを設け、前記上部吸込口から吸込まれた空気に、前記紫外線透過部材を介した紫外線を照射する一方、前記下部吸込口から吸込まれた空気は、前記紫外線ランプに導びき、その周囲を通過させてなるようにした構成となっている。
【００１２】
【発明の実施の形態】
以下、本発明の実施の形態を、添付図面に基づいた実施例として詳細に説明する。
図１は本発明による空気清浄器の断面図であり、図２は紫外線ユニットの正面図である。図３は紫外線ユニットの要部斜視図であり、図４はその要部断面図である。又図６は他の実施例を示す正面図及び断面図である。
本発明による空気清浄器は、図１で示すように、ベースと前面パネルと後部パネルとからなる本体の前面に複数の桟により吸込口１を形成し、上面後部に複数の桟により吹出口２を形成している。
【００１３】
前記本体内は、中央部に流入孔３ａを穿設した仕切板により前後に区画され、区画された後部には、前記流入孔３ａに臨んでモータにより駆動される送風ファン６が設けられている。区画された前部には、前記吸込口１側から順次プレフィルター４と、集塵／脱臭フィルター５と、紫外線ユニット８とが設けられ、又これらの上方には、制御基板あるいは前記紫外線ユニット８に電源を供給する電源部等を収納した制御室７が設けられている。前記吸込口１から吸込まれた室内の空気は、前記プレフィルター４により比較的粒径の粗い塵埃を除去され、続いて前記集塵／脱臭フィルター５により比較的粒径の細かい塵埃が除去されるとともに含有する臭気成分を吸収されるようになっている。塵埃と臭気成分とが除去された空気は続いて前記紫外線ユニット８に流入し、これを通過することにより紫外線の照射を受け、含有する細菌あるいは雑菌等を死滅あるいは消滅させるようになっている。
【００１４】
前記紫外線ユニット８は、図２で示すように、中央部桟８ｄを除いて前面に複数の桟により流入口８ｂを形成し、中央部桟８ｅを除いて後面に複数の桟により流出口８ｃを形成した金属性からなる方形状のケース８ａと、同ケース８ａ内に前記中央部桟８ｄと前記中央部桟８ｅに臨んで水平に懸架された紫外線ランプ９と、同紫外線ランプ９の上下に、これと平行となるように配設された紫外線透過部材１０ａ及び１０ｂとからなっている。前記紫外線ランプ９は前記ケース８の内壁両側に設けられた正側電極９ａと負側電極９ｂとに支承されるとともに、電源を供給され、周囲に殺菌効果を有する２５４ｎｍ（ナノメートル）の紫外線を照射するようになっている。
【００１５】
前記紫外線透過部材１０ａと１０ｂとは、図３で示すように、薄肉のアルミ箔からなり、上下面が開放された六角形状のセル１１ａ及び１１ｂを多数並べた所謂ハニカム状に形成されている。前記セル１１ａ及び１１ｂは対向する辺の間隔が１ｍｍ程度であり、前記紫外線ランプ９から放射状に照射された紫外線に含まれる垂直成分をそのまま通過させ、前記ケース８ａ内を通過する空気に対し照射を行うとともに、反射率の高いアルミ箔からなることによりある角度をもって入射してきた紫外線をセル１１ａ及び１１ｂ内壁面により交互に反射させ、上下方向に向かう垂直成分に変換させるようになっている。これにより前記紫外線ランプ９から照射された紫外線は前記ケース８ａ内で若干拡がるもののほとんどが上下方向に向かい、前記ケース８ａの前面に形成された流入口８ｂ及び背面に形成された流出口８ｃからは外部に漏洩しないようになっている。
【００１６】
また、図５で示すように、前記紫外線ランプ９に対向して、前記ケース８ａの前後内壁に、円弧状に窪んだ反射面を相対向して上下に形成した山形状の反射板１２ａ及び１２ｂを設け、前記紫外線ランプ９から照射された紫外線の水平成分及び斜光成分を前記の反射板１２ａ及び１２ｂにより反射させ前記紫外線透過部材１０ａ及び１０ｂに向かわせることにより、前記紫外線ランプ９からの紫外線を無駄なく効率的に使用することもできる。
【００１７】
次に、動作について説明する。本体の前記吸込口１から吸込まれた室内の空気は、前記プレフィルター４により比較的粒径の粗い塵埃を除去され、続いて前記集塵／脱臭フィルター５により比較的粒径の細かい塵埃が除去されるとともに含有する臭気成分を吸収される。続いて、図４で示すように、前記紫外線ユニット８の前記流入口８ｂから前記ケース８ａ内に流入した空気は、前記紫外線ランプ９から照射され前記紫外線透過部材１０ａ及び１０ｂにより上下に拡がる紫外線により含有する細菌あるいは雑菌を除去され清浄化される。清浄化された空気は前記流出口８ｃから前記ケース８ａの背面側に流出し、前記仕切板３に穿設された流入孔３ａから後部区画内に入り前記送風ファン６により前記吹出口２から再び室内に送出されるようになっている。又、前記紫外線ランプ９から照射された紫外線は、図４で示すように、前記ケース８ａの前後に形成された中央部梁８ｄ及び８ｅにより水平成分及び斜光成分が反射され前記紫外線透過部材１０ａ及び１０ｂに向かうことにより紫外線の漏洩を極力防止できるようになっている。
【００１８】
次に、他の実施例について説明する。図６で示す実施例は、本体２０の前面に上部吸込口２０ａと下部吸込口２０ｂとに区画して設ける一方、紫外線ユニット２１の下方に紫外線ランプ２２とその上方に紫外線透過部材２３とを設けて，これらの上方に上部区画２１ａを、下方に下部区画２１ｂを設け、前記上部吸込口２０ａから吸込まれた空気は、前記紫外線透過部材２３から照射される上方に向かう紫外線により殺菌作用を行わせる一方、前記下部吸込口２０ｂから吸込まれた空気は、二段に設けられた遮蔽部材２４及び２５を介して前記紫外線ランプ２２の周囲を直接通過させ、強力な紫外線により殺菌作用を行わせるようになっている。
【００１９】
【発明の効果】
以上説明したように、本発明によると、プレフィルターと集塵／脱臭フィルターの後方に、紫外線ランプを内蔵した紫外線ユニットを設け、前記紫外線ランプの上下に、薄肉のアルミ箔からなり、上下面が開放された六角形状のセルを多数並べたハニカム状の紫外線透過部材を設けることにより、前記紫外線ランプから放射状に照射された紫外線を上下成分に変換して前記紫外線ユニット内に流入してきた空気の殺菌作用を効果的に行える一方、紫外線の外部への漏洩を極力防止することのできる空気清浄器とすることができる。
【図面の簡単な説明】
【図１】本発明による空気清浄器を示す断面図である。
【図２】紫外線ユニットを示す正面図である。
【図３】紫外線ユニットの要部斜視図である。
【図４】紫外線ユニットの要部断面図である。
【図５】紫外線ユニットの要部断面図である。
【図６】（Ａ）は他の実施例を示す正面図である。
（Ｂ）は他の実施例を示す断面図である。
【図７】従来の紫外線ユニットを示す断面図である。
【符号の説明】
１  吸込口
２  吹出口
３  仕切板
３ａ  流入孔
４  プレフィルター
５  集塵／脱臭フィルター
６  送風ファン
７  制御室
８  紫外線ユニット
８ａ  ケース
８ｂ  流入口
８ｃ  流出口
８ｄ  中央部梁
８ｅ  中央部梁
９  紫外線ランプ
１０ａ、１０ｂ  紫外線透過部材
１１ａ、１１ｂ  セル
１２ａ、１２ｂ  反射板
２０  本体
２０ａ  上部吸込口
２０ｂ  下部吸込口
２１  紫外線ユニット
２１ａ  上部区画
２１ｂ  下部区画
２２  紫外線ランプ
２３  紫外線透過部材
２４、２５  遮蔽板
【図１】
2004316990.tif 000003
【図２】
2004316990.tif 000004
【図３】
2004316990.tif 000005
【図４】
2004316990.tif 000006
【図５】
2004316990.tif 000007
【図６】
2004316990.tif 000008
【図７】
2004316990.tif 000009